(57)【特許請求の範囲】
【請求項１】
撮像手段と、前記撮像手段で得られた画像データを処理する画像処理手段と、前記画像処理手段より出力される画像データを記録する記録手段とを備えた撮像装置であって、
前記撮像手段によって取り込まれた画像データに含まれるコード画像から変換目標の色値を取得する取得手段と、
前記画像処理手段より出力される画像データに基づいて電子ビューファインダ画面を表示するとともに、該画面中に枠を表示する表示手段と、
所定の操作入力に応じて、前記電子ビューファインダ画面に表示中の画像の前記枠内に含まれる色情報に基づいて変換対象の色値を決定する決定手段と、
色空間において、前記変換対象の色値を含む所定範囲の色が前記変換目標の色値を含む所定範囲の色へ変換されるように前記画像処理手段の色変換パラメータを設定する設定手段とを備えることを特徴とする撮像装置。
【請求項２】
前記設定手段は、色変換のための３次元ルックアップテーブルのパラメータを設定することを特徴とする請求項１に記載の撮像装置。
【請求項３】
前記取得手段は、前記電子ビューファインダ画面に表示中の画像データからコード画像を抽出し前記変換目標の色値を取得することを特徴とする請求項１に記載の撮像装置。
【請求項４】
前記取得手段は、撮影済みの画像データからコード画像を抽出し、前記変換目標の色値を取得することを特徴とする請求項１に記載の撮像装置。
【請求項５】
前記コード画像は複数の色値と各色値に対する色項目名を示す情報を含み、
前記取得手段は、
前記コード画像から色項目名を取得し、
取得した色項目名を前記電子ビューファインダ画面に表示し、
ユーザによる色項目名の選択に応じて、選択された色項目に対応する色値を前記変換目標の色値として取得することを特徴とする請求項１に記載の撮像装置。
【請求項６】
前記コード画像は、さらに、撮像装置の機種情報を含み、
前記コード画像が撮像装置で使用可能かどうかを判定する判定手段を有することを特徴とする請求項１乃至５のいずれか１項に記載の撮像装置。
【請求項７】
撮像手段と、前記撮像手段で得られた画像データを処理する画像処理手段と、前記画像処理手段より出力される画像データを記録する記録手段とを備えた撮像装置であって、
所望の撮影済み画像を画面に表示するとともに、該画面中に枠を表示する第１表示手段と、
前記画面に表示されている前記撮影済み画像の前記枠内に含まれる色情報に基づいて変換対象の色値を決定する決定手段と、
前記画像処理手段より出力される画像データに基づいて前記画面に電子ビューファインダ画面を表示する第２表示手段と、
前記電子ビューファインダ画面に表示された画像に含まれるコード画像から変換目標の色値を取得する取得手段と、
色空間において、前記変換対象の色値を含む所定範囲の色が前記変換目標の色値を含む所定範囲の色へ変換されるように前記画像処理手段の色変換パラメータを設定する設定手段と、
前記設定手段で設定された色変換パラメータにより前記所望の撮影済み画像に対して色変換処理を行なう変換手段とを備えることを特徴とする撮像装置。
【請求項８】
撮像手段と、前記撮像手段で得られた画像データを処理する画像処理工程を実行する制御手段と、前記画像処理工程により出力される画像データを記録する記録手段とを備えた撮像装置の制御方法であって、
前記撮像手段によって取り込まれた画像データに含まれるコード画像から変換目標の色値を取得する取得工程と、
前記画像処理工程より出力される画像データに基づいて電子ビューファインダ画面を表示するとともに、該画面中に枠を表示する表示工程と、
所定の操作入力に応じて、前記電子ビューファインダ画面に表示中の画像の前記枠内に含まれる色情報に基づいて変換対象の色値を決定する決定工程と、
色空間において、前記変換対象の色値を含む所定範囲の色が前記変換目標の色値を含む所定範囲の色へ変換されるように前記画像処理工程の色変換パラメータを設定する設定工程とを備えることを特徴とする撮像装置の制御方法。
【請求項９】
前記設定工程は、色変換のための３次元ルックアップテーブルのパラメータを設定することを特徴とする請求項８に記載の撮像装置の制御方法。
【請求項１０】
前記取得工程は、前記電子ビューファインダ画面に表示中の画像データからコード画像を抽出し前記変換目標の色値を取得することを特徴とする請求項８に記載の撮像装置の制御方法。
【請求項１１】
前記取得工程は、撮影済みの画像データからコード画像を抽出し、前記変換目標の色値を取得することを特徴とする請求項８に記載の撮像装置の制御方法。
【請求項１２】
前記コード画像は複数の色値と各色値に対する色項目名を示す情報を含み、
前記取得工程は、
前記コード画像から色項目名を取得し、
取得した色項目名を前記電子ビューファインダ画面に表示し、
ユーザによる色項目名の選択に応じて、選択された色項目に対応する色値を前記変換目標の色値として取得することを特徴とする請求項８に記載の撮像装置の制御方法。
【請求項１３】
前記コード画像は、さらに、撮像装置の機種情報を含み、
前記コード画像が撮像装置で使用可能かどうかを判定する判定工程を有することを特徴とする請求項８乃至１２のいずれか１項に記載の撮像装置の制御方法。
【請求項１４】
撮像手段と、前記撮像手段で得られた画像データを処理する画像処理工程を実行する制御手段と、前記画像処理工程により出力される画像データを記録する記録手段とを備えた撮像装置の制御方法であって、
所望の撮影済み画像を画面に表示するとともに、該画面中に枠を表示する第１表示工程と、
前記画面に表示されている前記撮影済み画像の前記枠内に含まれる色情報に基づいて変換対象の色値を決定する決定工程と、
前記画像処理工程より出力される画像データに基づいて前記画面に電子ビューファインダ画面を表示する第２表示工程と、
前記電子ビューファインダ画面に表示された画像に含まれるコード画像から変換目標の色値を取得する取得工程と、
色空間において、前記変換対象の色値を含む所定範囲の色が前記変換目標の色値を含む所定範囲の色へ変換されるように前記画像処理工程の色変換パラメータを設定する設定工程と、
前記設定工程で設定された色変換パラメータにより前記所望の撮影済み画像に対して色変換処理を行なう変換工程とを備えることを特徴とする撮像装置の制御方法。
【請求項１５】
請求項８乃至１４のいずれか１項に記載の撮像装置の制御方法をコンピュータに実行させるための制御プログラム。
【請求項１６】
請求項８乃至１４のいずれか１項に記載の撮像装置の制御方法をコンピュータに実行させるための制御プログラムを格納した、コンピュータ読み取り可能な記憶媒体。
【発明の詳細な説明】
【技術分野】
【０００１】
本発明は色のユーザカスタマイズを可能とする撮像装置及びその制御方法に関する。
【背景技術】
【０００２】
近年、デジタルカメラが普及し、多くのユーザがデジタルカメラを使用する機会が増えている。このため、デジタルカメラに対するユーザのニーズもより多様化してきている。そのようなニーズの一つとして色再現性がある。メーカが目標とする色再現特性は多くのユーザが好ましいと感じる平均的な色再現を目指している。しかしながら、ユーザ毎に好みは異なるため、すべてのユーザが満足するような色再現性を実現することはできなかった。
【０００３】
このような課題を解決するために、色相、彩度、明度等のパラメータをカスタマイズすることを可能とし、撮影時においてユーザが所望する色再現性を実現可能とするデジタルカメラが存在する。しかしながら、これらパラメータの変化と色の変化の関係をユーザに示すことは困難なため、最適な設定をするにはユーザの熟練を必要としていた。
【０００４】
ユーザにわかりやすく色を調整させるための方法に関する提案としては、特許文献１や特許文献２が挙げられる。特許文献１には画像のレタッチ処理において画像中の所望のソース色を指示するとともに、変換先の目標色として所望の色を指示することにより、指示されたソース色が指示された目標色に変換されるような色変換処理を実行する構成が記載されている。また、特許文献２では、ジョイスティックにより表示画像上でカーソルを移動して任意の抽出色（ソース色）を指定する構成が記載されている。特許文献３では、撮像装置で変更したい元色として肌色を取り込み、その取り込んだ肌色とＲＯＭに記憶された肌色再現目標値とに基づいて色補正係数を算出する構成が記載されている。また、特許文献４には、唇領域等、対象画像中に設定された領域の色を、着色商品からＲＦＩＤによって取得した色情報を用いて変換する構成が記載されている。
【特許文献１】特開２００４−１２９２２６号公報
【特許文献２】特開平０７−３２００２４号公報
【特許文献３】特開２００３−２９９１１５号公報
【発明の開示】
【発明が解決しようとする課題】
【０００５】
しかしながら、特許文献１は画像のレタッチ処理に関するものであり、撮像装置における撮影時の色変換処理を設定するものではない。また、カーソルによるソース色及び目標色の指定が必要である等、撮像装置のような限られたユーザインターフェースでの色変換処理に不向きである。特許文献２では画像上でカーソルを移動させることにより所望の色を指定するが、カーソル移動のための操作部が必要であり、携帯性が必要なデジタルカメラ等には不向きである。また、特許文献３では、予めＲＯＭに記憶された数種類の目標色の中からユーザが所望の目標色を選ぶ。すなわち、目標色は数種類に制限され、自由な色変換を実現するものではない。また、目標色は画像としてユーザに提示されないので、ユーザはどのような色に変換されるのかを知ることが困難である。更に、特許文献４では、唇領域のように、着色商品（例えば口紅）より取得した領域識別情報に基づいて対象画像中の色変換領域を特定し、当該着色商品外部より取得した色情報を用いて当該色変換領域の色を変換する。従って、変換対象の領域を柔軟に設定することはできない。
【０００６】
本発明は上記の課題に鑑みてなされたものであり、撮像装置の限られたユーザインターフェースでも変換元色と変換目標色を容易且つ柔軟に設定可能とし、撮影時における所望の色変換を簡易な操作で実現可能とすることを目的とする。
【課題を解決するための手段】
【０００７】
上記課題を解決するための本発明による撮像装置は以下の構成を備える。即ち、
撮像手段と、前記撮像手段で得られた画像データを処理する画像処理手段と、前記画像処理手段より出力される画像データを記録する記録手段とを備えた撮像装置であって、
前記撮像手段によって取り込まれた画像データに含まれるコード画像から変換目標の色値を取得する取得手段と、
前記画像処理手段より出力される画像データに基づいて電子ビューファインダ画面を表示するとともに、該画面中に枠を表示する表示手段と、
所定の操作入力に応じて、前記電子ビューファインダ画面に表示中の画像の前記枠内に含まれる色情報に基づいて変換対象の色値を決定する決定手段と、
色空間において、前記変換対象の色値を含む所定範囲の色が前記変換目標の色値を含む所定範囲の色へ変換されるように前記画像処理手段の色変換パラメータを設定する設定手段とを備える。
また、本発明の他の態様による撮像装置は以下の構成を備える。すなわち、
撮像手段と、前記撮像手段で得られた画像データを処理する画像処理手段と、前記画像処理手段より出力される画像データを記録する記録手段とを備えた撮像装置であって、
所望の撮影済み画像を画面に表示するとともに、該画面中に枠を表示する第１表示手段と、
前記画面に表示されている前記撮影済み画像の前記枠内に含まれる色情報に基づいて変換対象の色値を決定する決定手段と、
前記画像処理手段より出力される画像データに基づいて前記画面に電子ビューファインダ画面を表示する第２表示手段と、
前記電子ビューファインダ画面に表示された画像に含まれるコード画像から変換目標の色値を取得する取得手段と、
色空間において、前記変換対象の色値を含む所定範囲の色が前記変換目標の色値を含む所定範囲の色へ変換されるように前記画像処理手段の色変換パラメータを設定する設定手段と、
前記設定手段で設定された色変換パラメータにより前記所望の撮影済み画像に対して色変換処理を行なう変換手段とを備える。
【発明の効果】
【０００８】
上記構成によれば、撮像装置の限られたユーザインターフェースでも変換元色と変換目標色を容易且つ柔軟に設定することが可能となり、撮影時における所望の色変換を簡易な操作で実現できる。特に、書籍やカタログ等に掲載された色を示すコード情報から変更後の色を取得し、ビューファインダー画面においてリアルタイムに表示される画像の所望の色を取得した色に変換することが可能となり、撮影時において容易に色変換を指定できる。
【発明を実施するための最良の形態】
【０００９】
以下、添付の図面を参照して本発明の好適な実施形態について説明する。
【００１０】
＜第１実施形態＞
図１は、本実施形態による撮像装置１００（本例ではデジタルカメラとする）の構成例を示す図である。実空間の像は撮影レンズ１０１と、絞り機能を備えるシャッター１０２とを経て、光学像を電気信号に変換する撮像素子１０３上に結像される。Ａ／Ｄ変換部１０５は撮像素子１０３から出力されるアナログ信号をディジタル信号に変換する。タイミング発生部１０６は、メモリ制御部１０８及びシステム制御部１０９により制御され、撮像素子１０３、Ａ／Ｄ変換部１０５及びＤ／Ａ変換部１０７にクロック信号や制御信号を供給する。
【００１１】
画像処理部１１０は、Ａ／Ｄ変換部１０５からのデータ或いはメモリ制御部１０８からのデータに対して所定の画素補間処理や色変換処理を行う。また、画像処理部１１０は、撮像した画像データを用いて所定の演算処理を行う。システム制御部１０９は画像処理部１１０の演算結果に基づいて露光制御部１１１や測距制御部１１２を制御し、ＴＴＬ（スルー・ザ・レンズ）方式のＡＦ（オートフォーカス）処理、ＡＥ（自動露出）処理、ＥＦ（フラッシュプリ発光）処理を行っている。さらに、画像処理部１１０は、撮像した画像データを用いて所定の演算処理を行い、得られた演算結果に基づいてＴＴＬ方式のＡＷＢ（オートホワイトバランス）処理も行っている。
【００１２】
メモリ制御部１０８は、Ａ／Ｄ変換部１０５、タイミング発生部１０６、Ｄ／Ａ変換部１０７、画像処理部１１０、画像表示メモリ１１３、メモリ１１４、圧縮・伸長部１１５を制御する。Ａ／Ｄ変換部１０５から出力されたデータは画像処理部１１０とメモリ制御部１０８を介して、或いはメモリ制御部１０８のみを介して、画像表示メモリ１１３或いはメモリ１１４に書き込まれる。なお、画像表示メモリ１１３に画像データを書き込む際には、画像表示部１１６が備える表示器の解像度に応じて間引きされて書き込まれる。画像表示メモリ１１３に書き込まれた表示用の画像データはＤ／Ａ変換部１０７を介して画像表示用のアナログ信号となり、画像表示部１１６により表示される。画像表示部１１６はＴＦＴＬＣＤ等で構成される。なお、画像表示部１１６を用いて撮像した画像データを逐次表示すれば、所謂電子ビューファインダ機能を実現することが可能である。画像表示部１１６は、システム制御部１０９の指示により任意に表示をＯＮ／ＯＦＦすることが可能であり、表示をＯＦＦにした場合には撮像装置１００の電力消費を大幅に低減することが出来る。
【００１３】
メモリ１１４は撮影した静止画像や動画像を格納するためのメモリである。メモリ１１４は所定枚数の静止画像や所定時間の動画像を格納するのに十分な記憶量を備えている。これにより、複数枚の静止画像を連続して撮影する連射撮影やパノラマ撮影の場合にも、高速かつ大量の画像書き込みをメモリ１１４に対して行うことが可能となる。また、メモリ１１４はシステム制御部１０９の作業領域としても使用することが可能である。
【００１４】
圧縮・伸長部１１５は、適応離散コサイン変換（ＡＤＣＴ）等により画像データを圧縮伸長する。圧縮・伸長部１１５はメモリ１１４に格納された画像を読み込んで圧縮処理或いは伸長処理を行い、処理を終えたデータをメモリ１１４に書き込む。
【００１５】
露光制御部１１１は、絞り機能を備えるシャッター１０２を制御し、フラッシュ１１７と連携することによりフラッシュ調光機能も有する。測距制御部１１２は、撮影レンズ１０１のフォーカシングを制御する。ズーム制御部１１８は撮影レンズ１０１のズーミングを制御する。バリア制御部１１９は、保護部１５１の動作を制御する。保護部１５１は、撮像装置１００のレンズ１０１、シャッター１０２、撮像素子１０３を含む撮像部を覆うことにより、撮像部の汚れや破損を防止するバリアである。一般には、保護部１５１はレンズ１０１の保護を主たる目的とする。フラッシュ１１７は、ＡＦ補助光の投光機能、フラッシュ調光機能を有する。露光制御部１１１、測距制御部１１２はＴＴＬ方式を用いて制御されている。すなわち、撮像により得られた画像データを画像処理部１１０によって演算した演算結果に基づき、システム制御部１０９が露光制御部１１１と測距制御部１１２に対して制御を行っている。システム制御部１０９は撮像装置１００の全体の制御を司る。メモリ１２０は、システム制御部１０９の動作用の定数、変数、プログラム等を記憶する。
【００１６】
表示部１２１は、システム制御部１０９でのプログラムの実行に応じて、文字や画像により動作状態やメッセージ等を提示する液晶表示装置（ＬＤＣ）やＬＥＤ等である。なお、表示部１２１は、動作上体やメッセージの一部を提示するための音声やブザー音等を出力可能なスピーカ或いは圧電ブザー（発音素子）等を含んでもよい。表示部１２１は、撮像装置１００の操作部近辺の視認し易い位置に単数或いは複数個所設置されてもよい。また、表示部１２１は、その一部の機能が光学ファインダ１０４内に設置されている。
【００１７】
表示部１２１の表示内容のうち、ＬＣＤ等に表示するものとしては、シングルショット／連写撮影表示、セルフタイマ表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体１２２及び１２３の着脱状態表示、通信Ｉ／Ｆ動作表示、日付け・時刻表示、等がある。また、表示部１２１の表示内容のうち、光学ファインダ１０４内に表示するものとしては、合焦表示、手振れ警告表示、フラッシュ充電表示、シャッタースピード表示、絞り値表示、露出補正表示、等がある。
【００１８】
不揮発性メモリ１２４は電気的に消去・記録可能なメモリであり、例えばEEPROM等が用いられる。１２５、１２６、１２７、１２８、及び１２９は、システム制御部１０９の各種の動作指示を入力するための操作部を示している。これらの操作部はスイッチやダイアル、タッチパネル、視線検知によるポインティング、音声認識装置等のいずれか或いはそれらのうちの複数の組み合わせで構成される。これらの操作部について、以下に具体的に説明する。
【００１９】
モードダイアルスイッチ１２５は、電源オフ、自動撮影モード、撮影モード、パノラマ撮影モード、再生モード、マルチ画面再生・消去モード、ＰＣ接続モード等の各機能モードを切り替え設定するためのスイッチである。シャッタースイッチ１２６は、シャッターボタン（レリーズボタン）（図２の２０３）の操作途中（シャッターボタンの半押し）で信号ＳＷ１を出力し、シャッターボタンの操作完了（シャッターボタンの全押し）で信号ＳＷ２を出力する。信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作開始が指示される。また、信号ＳＷ２により、一連の撮影処理の動作開始が指示される。撮影処理では、以下の一連の処理が行われる。即ち、撮像素子１０２から読み出した信号をＡ／Ｄ変換部１０５でデジタル変換する（露光処理）。そして、メモリ制御部１０８を介してメモリ１１４に画像データ（ＲＡＷデータ）として書き込む。そして、露光処理された信号を画像処理部１１０やメモリ制御部１０８で演算処理（現像処理）してメモリ１１４に書き込む。更に、メモリ１１４から画像データを読み出して圧縮・伸長部１１５で圧縮を行い、記録媒体１２２或いは１２３に書き込む（記録処理）。
【００２０】
画像表示ＯＮ／ＯＦＦスイッチ１２７は、画像表示部１１６のＯＮ／ＯＦＦを設定する。この機能により、光学ファインダ１０４を用いて撮影を行う際に、ＴＦＴＬＣＤ等から成る画像表示部１１６への電源供給を遮断することができ、省電力を図ることが可能となる。クイックレビューＯＮ／ＯＦＦスイッチ１２８は、撮影直後に撮影した画像データを自動再生するクイックレビュー機能のＯＮ／ＯＦＦを設定する。なお画像表示部１１６をＯＦＦとした場合におけるクイックレビュー機能（画像表示をＯＦＦにした場合においても撮像された画像をレビュー可能とする）の設定をする機能を備えるものとする。
【００２１】
操作部１２９は各種ボタンやタッチパネル等を含み、１つのスイッチまたは複数のスイッチの組み合わせにより各種操作指示ボタンとして機能する。このような操作指示としては、例えば、メニューボタン、セットボタン、マクロボタン、マルチ画面再生改ページボタン、フラッシュ設定ボタン、単写／連写／セルフタイマ切り替えボタン、メニュー上移動（十字上）ボタン、メニュー下移動（十字下）ボタン、再生画像送り移動（十字右）ボタン、再生画像戻し移動（十字左）ボタン、撮影画質選択ボタン、露出補正ボタン、日付／時間設定ボタン、画像削除ボタン、画像削除取消しボタン等があげられる。
【００２２】
電源制御部１３１は、電池検出回路、ＤＣ−ＤＣコンバータ、通電するブロックを切り替えるスイッチ回路等により構成されている。電源制御部１３１は、電池の装着の有無、電池の種類、電池残量の検出を行い、検出結果及びシステム制御部１０９の指示に基づいてＤＣ−ＤＣコンバータを制御し、必要な電圧を必要な期間、記録媒体を含む各部へ供給する。電源部１３４は、アルカリ電池やリチウム電池等の一次電池やＮｉＣｄ電池やＮｉＭＨ電池、Ｌｉ電池等の二次電池、ＡＣアダプタ等から構成される。電源部１３４は、コネクタ１３２、１３３を介して電源制御部１３１に接続される。
【００２３】
インターフェース１３５、１３６はメモリカードやハードディスク等の記録媒体と撮像装置１００内のバスとを接続する。メモリカードやハードディスク等の記録媒体とインターフェース１３５、１３６との接続はコネクタ１３７、１３８を介してなされる。記録媒体着脱検知部１３０はコネクタ１３７及び／またはコネクタ１３８に記録媒体１２２及び／またはコネクタ１２３が装着されているか否かを検知する。
【００２４】
なお、本実施形態では記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。このようなインターフェース及びコネクタとしては、ＰＣＭＣＩＡカードやＣＦ（コンパクトフラッシュ（登録商標））カード等の規格に準拠したものを用いて構成して構わない。
【００２５】
さらに、インタフェース１３５及び１３６、そしてコネクタ１３７及び１３８をＰＣＭＣＩＡカードやＣＦ（コンパクトフラッシュ（登録商標））カード等の規格に準拠したものを用いて構成した場合は各種通信カードを接続することができる。通信カードとしては、ＬＡＮカードやモデムカード、ＵＳＢカード、ＩＥＥＥ１３９４カード、Ｐ１２８４カード、ＳＣＳＩカード、ＰＨＳ等の通信カードが挙げられる。そして、このような通信カードを接続することにより、他のコンピュータやプリンタ等の周辺機器との間で画像データや画像データに付属した管理情報を転送し合うことを可能に出来る。
【００２６】
光学ファインダ１０４は、画像表示部１１６による電子ビューファインダ機能を使用すること無しに、光学ファインダのみを用いて撮影を行うことを可能とする。また、上述したように、光学ファインダ１０４内には表示部１２１の一部の機能、例えば、合焦表示、手振れ警告表示、フラッシュ充電表示、シャッタースピード表示、絞り値表示、露出補正表示などが設置されている。
【００２７】
通信部１４５は、ＲＳ２３２ＣやＵＳＢ、ＩＥＥＥ１３９４、Ｐ１２８４、ＳＣＳＩ、モデム、ＬＡＮ、無線通信、等の各種通信機能を有する。接続部１４６は通信部１４５により撮像装置１００を他の機器と接続するためのコネクタである。或いは無線通信の場合は、接続部１４６はアンテナである。
【００２８】
記録媒体１２２、１２３は、半導体メモリや磁気ディスク等から構成される記録部１３９、１４２と、撮像装置１００とのインタフェース１４０、１４３、撮像装置１００と接続を行うコネクタ１４１、１４４を備えている。
【００２９】
図２は、撮像装置１００（デジタルカメラ）の斜視図である。電源スイッチ２０１は電源をＯＮ／ＯＦＦするためのボタンである。参照番号２０２、２０５〜２０９は上述した操作部１２９の一部を構成している。モード切り替えレバー２０２は、撮影モード、再生モード、動画撮影モード、静止画撮影モード等の各機能モードを切り替え設定する。シャッターボタン２０３は上述のシャッタースイッチ１２６として機能する。ＬＣＤ２０４は上述した画像表示部１１６の一部を構成し、電子ビューファインダとして機能するほか、静止画像及び／または動画像を再生して得られる画面を表示する。メニューボタン２０５は、撮影パラメータやカメラの設定を変更するためのメニュー画面をＯＮ、ＯＦＦさせるスイッチである。セットボタン２０６は、メニューボタン２０５の操作により表示されたメニュー画面でのメニューの選択・決定等に使用する。削除ボタン２０７は画像の削除を指定する。ディスプレイボタン２０８は上述の画像表示ＯＮ／ＯＦＦスイッチ１２７を構成し、ＬＣＤ２０４における表示の有無を切り替えるためのボタンである。十字ボタン２０９は、この上下左右ボタンを使ってメニュー画面での項目の移動などを行ったり、再生モードでは左右ボタンを押して画像送りを行ったりするのに使用され得る。
【００３０】
図３は本実施形態によるディジタルカメラ１００内の画像処理部１１０の処理を説明するブロック図である。なお、以下で説明する各処理に用いられるパラメータ値（マトリクス演算のためのパラメータや３次元ルックアップテーブルのパラメータ）はメモリ１２０に格納されており、画像処理部１１０により適宜読み出される。Ａ／Ｄ変換部１０５によりＡ／Ｄ変換されたＣＣＤデジタル信号に対して、まずホワイトバランス処理部３０１にてホワイトバランス処理が行われる。ホワイトバランス処理についてはここでは説明しないが、例えば特開２００３−２４４７２３号公報に記載されている方法を用いて行うことができる。ホワイトバランス処理が行われたＣＣＤデジタル信号は補間処理部３０２に供給される。本実施形態の撮像素子１０３は図５に示すようなベイヤー配列のカラーフィルタを有するものとする。従って、補間処理部３０２では、図５に示されたＣＣＤのベイヤー配列データを図６に示されるようなＲ、Ｇ１、Ｇ２、Ｂの補間データに変換する処理が行なわれる。補間されたＣＣＤデジタル信号はマトリクス演算処理部３０３に入力され、式（１）に示される４×３のマトリクス演算が行われ、Ｒｍ、Ｇｍ、Ｂｍが求められる。
【００３１】
【数１】
0004662356.tif 000002
【００３２】
マトリクス演算処理されたＣＣＤデジタル信号は色差ゲイン演算処理部３０４において色差信号にゲインがかけられる。即ち、Ｒｍ、Ｇｍ、Ｂｍ信号は式（２）に従ってＹ、Ｃｒ、Ｃｂ信号へと変換される。そして、得られたＣｒ、Ｃｂ信号に式（３）に従ってゲインがかけられる。その後、式（４）（式（２）の逆行列演算）により、Ｒｇ、Ｇｇ、Ｂｇ信号へと変換される。
【００３３】
【数２】
0004662356.tif 000003
【００３４】
色差ゲイン演算処理されたＣＣＤデジタル信号はガンマ処理部３０５へ送られる。ガンマ処理部３０５では以下の式（５）〜（７）を用いてＣＣＤデジタル信号のガンマ変換を行なう。ここで、GammaTableは１次元ルックアップテーブルである。
【００３５】
Ｒｔ＝GammaTable[Ｒｇ]    …式（５）
Ｇｔ＝GammaTable[Ｇｇ]    …式（６）
Ｂｔ＝GammaTable[Ｂｇ]    …式（７）
【００３６】
上記ガンマ処理が施されたＣＣＤデジタル信号は色相補正演算処理部３０６へ送られる。色相補正演算処理部３０６は、以下の式（８）によりＲｔ、Ｇｔ、Ｂｔ信号をＹ、Ｃｒ、Ｃｂ信号へ変換し、さらに式（９）によりＣｒ、Ｃｂ、信号を補正し、その後、式（１０）（式（９）の逆行列演算）により、Ｒｈ、Ｇｈ、Ｂｈ信号へ変換する。
【００３７】
【数３】
0004662356.tif 000004
【００３８】
色相補正演算処理部３０６で処理されたＣＣＤデジタル信号は色差信号変換処理部３０７へと送られる。色差信号変換処理部３０７は、式（１１）を用いてＲｈ、Ｇｈ、Ｂｈ信号よりＵＶ信号を作成する。
【００３９】
【数４】
0004662356.tif 000005
【００４０】
一方、ホワイトバランス処理部３０１でホワイトバランス処理が施されたＣＣＤデジタル信号は、輝度信号作成部３０８にも供給される。輝度信号作成選択部３０８は、ＣＣＤデジタル信号を輝度信号へと変換する。例えば、図５に示すような原色フィルタの場合の輝度信号は、Ｒ、Ｂの信号をすべて０にして、図７に示す係数を持つ２次元フィルタ処理を施したものを輝度信号とする。なお、補色フィルタの場合の輝度信号はそのまま図７に示す係数を持つ２次元フィルタ処理を施したものを輝度信号とする。補色輝度信号処理部３０８で作成された輝度信号は高域強調処理部３０９にてエッジ強調処理され、さらにガンマ処理部３１０にてガンマ変換処理されてＹ信号が作成される。
【００４１】
ガンマ処理部３１０から出力されるＹ信号および、色差信号変換処理部３０７から出力されるＵ，Ｖ信号は色変換処理部３１１にて、Ｙ’、Ｕ’、Ｖ’信号へと変換される。色変換処理部３１１では、３次元ルックアップテーブルを用いた変換処理がなされるが、詳細は後述する。
【００４２】
本実施形態のデジタルカメラ（撮像装置１００）は、ユーザが指定した任意の色を、ユーザが指定した別の任意の色へ変換が可能な撮影モード（以下、色変換モードという）を有する。この色変換モードでは、ＬＣＤ２０４上に図８に示す電子ビューファインダ（ＥＶＦ）画面８０１を表示し、リアルタイムに表示される撮像画像中の色取り込み枠８０２内に所望の色が入るようにして所定の操作を行なう。このような操作により、色取り込み枠８０２内の画像の色が変換元色として決定される。また、色取り込み枠８０２に所定のコード画像が入るようにして所定の操作を行うことにより、システム制御１０９で当該コード画像が解析され、変換目標色が決定される。こうして変換元色と変換目標色が決定されると、決定された変換元色が変換目標色に変換されるように色変換処理部３１１のルックアップテーブルが設定される。この結果、その後のＥＶＦ画面８０１における表示画像、及びシャッターボタン２０３の操作により記録される撮影画像は、上記変換元色が上記変換目標色になるように変換されたものとなる。以下、本実施形態の色変換モードについて詳細に説明する。
【００４３】
まず、色変換モードにおける変換元色から変換目標色への色変換処理について説明する。色変換処理部３１１では、３次元ルックアップテーブルによりＹＵＶをＹ’Ｕ’Ｖ’へ変換する。本実施形態においては、３次元ルックアップテーブルの容量を減らすため、Ｙ信号、Ｕ信号、及びＶ信号の最小値から最大値までを８分割した、９×９×９＝７２９個の３次元代表格子点におけるＹＵＶ値のリスト（ルックアップテーブル）を用意する。そして、代表格子点以外のＹＵＶ信号は補間により求めるものとする。図９は本実施形態の３次元ルックアップテーブルを概念的に示す図である。各格子点には変換後のＹＵＶ値が入ることになる。例えば、格子点１１０１は、（32,255,32）の点であり、変換前と変換後に変化がなければ格子点１１０１には（32,255,32）が割り当てられることになる。また、格子点１１０１が変換後では（32,230,28）のようになるのであれば、その値が当該格子点１１０１に入ることになる。
【００４４】
例えば、図９の立方格子１１０２内における点１１０３のＹＵＶ値は、立方格子１１０２の頂点に対応する各格子点（ａ〜ｈ）のＹＵＶ値からの補間演算により求める。補間演算は以下の式（１２）〜式（１４）により行われる。ただし、式（１２）〜式（１４）において、入力ＹＵＶ信号をY、U、V、そのときの出力ＹＵＶ信号をYout(Y,U,V)、Uout(Y,U,V)、Vout(Y,U,V)とする。また、入力ＹＵＶ信号のY、U、Vそれぞれの信号値より小さく、かつ一番近い値の代表格子点（図９ではａ）の信号をYi、Ui、Viとする。さらに、代表格子点出力信号をYout(Yi,Ui,Vi)、Uout(Yi,Ui,Vi)、Vout(Yi,Ui,Vi)とし、代表格子点のステップ幅をStep（本実施形態においては３２）とする。従って、例えば格子点ｂの信号はYi+step、Ui、Vi、格子点ｃの信号はYi、Ui+step、Viのようになる。
【００４５】
Y=Yi+Yf
U=Ui+Uf
V=Vi+Vf
Yout(Y,U,V)＝Yout(Yi+Yf,Ui+Uf,Vi+Vf)＝
(Yout(Yi,Ui,Vi)×(Step-Yf)×(Step-Uf)×(Step-Vf)
+Yout(Yi+Step,Ui,Vi)×(Yf)×(Step-Uf)×(Step-Vf)
+Yout(Yi,Ui+Step,Vi)×(Step-Yf)×(Uf)×(Step-Vf)
+Yout(Yi,Ui,Vi+Step)×(Step-Yf)×(Step-Uf)×(Vf)
+Yout(Yi+Step,Ui+Step,Vi)×(Yf)×(Uf)×(Step-Vf)
+Yout(Yi+Step,Ui,Vi+Step)×(Yf)×(Step-Uf)×(Vf)
+Yout(Yi,Ui+Step,Vi+Step)×(Step-Yf)×(Uf)×(Vf)
+Yout(Yi+Step,Ui+Step,Vi+Step)×(Yf)×(Uf)×(Vf))/(Step×Step×Step)
…式（１２）
Uout(Y,U,V)＝Uout(Yi+Yf,Ui+Uf,Vi+Vf)＝
(Uout (Yi,Ui,Vi)×(Step-Yf)×(Step-Uf)×(Step-Vf)
+Uout (Yi+Step,Ui,Vi)×(Yf)×(Step-Uf)×(Step-Vf)
+Uout(Yi,Ui+Step,Vi)×(Step-Yf)×(Uf)×(Step-Vf)
+Uout(Yi,Ui,Vi+Step)×(Step-Yf)×(Step-Uf)×(Vf)
+Uout(Yi+Step,Ui+Step,Vi)×(Yf)×(Uf)×(Step-Vf)
+Uout(Yi+Step,Ui,Vi+Step)×(Yf)×(Step-Uf)×(Vf)
+Uout(Yi,Ui+Step,Vi+Step)×(Step-Yf)×(Uf)×(Vf)
+Uout(Yi+Step,Ui+Step,Vi+Step)×(Yf)×(Uf)×(Vf))/(Step×Step×Step)
…式（１３）
Vout(Y,U,V)＝Vout(Yi+Yf,Ui+Uf,Vi+Vf)＝
(Vout(Yi,Ui,Vi)×(Step-Yf)×(Step-Uf)×(Step-Vf)
+Vout(Yi+Step,Ui,Vi)×(Yf)×(Step-Uf)×(Step-Vf)
+Vout(Yi,Ui+Step,Vi)×(Step-Yf)×(Uf)×(Step-Vf)
+Vout(Yi,Ui,Vi+Step)×(Step-Yf)×(Step-Uf)×(Vf)
+Vout(Yi+Step,Ui+Step,Vi)×(Yf)×(Uf)×(Step-Vf)
+Vout(Yi+Step,Ui,Vi+Step)×(Yf)×(Step-Uf)×(Vf)
+Vout(Yi,Ui+Step,Vi+Step)×(Step-Yf)×(Uf)×(Vf)
+Vout(Yi+Step,Ui+Step,Vi+Step)×(Yf)×(Uf)×(Vf))/(Step×Step×Step)
…式（１４）。
【００４６】
以下、上記式（１２）、式（１３）、及び式（１４）のルックアップテーブル変換及び補間演算式を簡易的に以下のような式（１５）で表すことにする。ただし、式（１５）において、Ｙ、Ｕ、Ｖは入力信号値を示し、ＬＵＴは図９に示すような９×９×９のルックアップテーブルを示し、Yout、Uout、Voutはルックアップテーブル変換及び補間演算した結果（図３のＹ’，Ｕ’，Ｖ’）を示す。即ち、色変換処理部３１１は以下の式（１５）に示される変換処理を実行する。
【００４７】
(Yout,Uout,Vout)＝LUT[(Y,U,V)]      …式（１５）。
【００４８】
上述したように、色変換モードで変換元色と変換目標色が決定されると、変換元色を内包する立方格子が決定され、変換元色の座標位置で変換目標色となるようにその立方格子を形成する各格子点の値を変更する。例えば、図９において決定された変換元色が点１１０３のＹＵＶ値であった場合、上記式（１５）による補間処理を実行した際に点１１０３におけるＹＵＶ値が設定された変換目標色のＹＵＶ値となるように、立方格子１１０２の格子点ａ〜ｈの値を変更する。詳細な説明は省略するが、変更後の代表格子点の値は数学的に求まる。そして、色変換処理部３１１では変更後の３次元ルックアップテーブルを用いて色変換処理を実行する。なお、以下の説明では、このような格子点の値の変更をパラメータの設定と称する。
【００４９】
以上のように、指定された変換元色と変換目標色により３次元ルックアップテーブルの格子点データを決定して色変換を行なうので、ユーザの好みの色設定を、再生する画像に対して容易に与えることができる。また、上記の色変換処理では、３次元ルックアップテーブルにおいて、変更したい色の近傍の代表格子点のみが変更される。このため、画像中の色全体ではなく、一部の色のみをユーザの好みの色へと変換することを容易且つ高速に実現することができる。即ち、マトリクス演算部３０３、色差ゲイン演算処理部３０４、ガンマ処理部３０５、色相補正演算処理部３０６等で利用されるパラメータを変更するものではないので、所望の色（色領域）だけを変更することができる。
【００５０】
図４Ａ、図４Ｂは、色変換モード撮影時における本実施形態のデジタルカメラの処理を説明するフローチャートである。なお、色変換モード以外の通常の撮影モードは一般的なデジタルカメラにおける動作と違いがない為、ここでは色変換モードについての説明に限定する。
【００５１】
ユーザがデジタルカメラの撮影モードを色変換モードに設定すると、ステップＳ４０１において前回の色変換モードにて設定された前回の設定パラメータが色変換処理部３１１のパラメータとして設定される。ステップＳ４０２においてシステム制御部１０９は露出制御開始タイミングか否かを判定する。露出制御開始タイミングであればステップＳ４０３において露光制御部１１１により露出処理を行なう。この露出処理はＥＶＦに表示するための露出設定である。この露出処理を頻繁に実行すると画面のちらつきの原因となるため、その実行間隔は時定数により設定されている。例えば、２秒に１回の割合で露出処理が行われるように設定されている。従って、この間隔でステップＳ４０２における判定が肯定となり、ステップＳ４０３で露出制御が行なわれることになる。
【００５２】
次に、ステップＳ４０４においてシステム制御部１０９はホワイトバランス制御の開始タイミングか否かを判定する。ホワイトバランス制御の開始タイミングであればステップＳ４０５へ進み、ホワイトバランス制御処理が行われる。ホワイトバランス制御処理も露出処理と同様に頻繁に実行すると画面のちらつきとなるため、例えば５秒に１回の割合で実行するように時定数が設定されている。ホワイトバランス制御処理では、ホワイトバランス処理をするためのホワイトバランス係数を求め、画像処理部１１０が用いるホワイトバランス係数を更新する。
【００５３】
ステップＳ４０６では、ステップＳ４０３の露出制御で設定された絞りで撮像が実行され、撮像素子からのリアルタイム出力であるスルー画像に対して画像処理部１１０はステップＳ４０５で設定されたホワイトバランス係数を用いて画像処理を行なう。そして、ステップＳ４０７において、ステップＳ４０６で画像処理された画像データをＥＶＦとして機能するＬＣＤ２０４（画像表示部１１６）上に表示する。更にステップＳ４０７では、ＥＶＦに表示された画像に重畳して、図８に示すような色取り込み枠８０２、変換元色表示枠８０３、変換目標色表示枠８０４を表示する。
【００５４】
ステップＳ４０６，Ｓ４０７の処理により、ＬＣＤ２０４上には図８の（ａ）或いは（ｂ）に示すＥＶＦ画面８０１が表示される。図８（ａ）に示すように、色変換モードにおいては、ＬＣＤ２０４上には、ＥＶＦ画面８０１、色取り込み枠８０２、変換元色表示枠８０３、変換目標色表示枠８０４が表示されている。この状態で、操作部１２９を用いた所定操作により、上記「パラメータの設定」のための変換元色および変換目標色の設定（ステップＳ４２３〜Ｓ４２８、Ｓ４３１，Ｓ４３２）を行うことができる。また、この状で、「パラメータの設定」に関わる条件（変換元色の適用範囲、変換目標色の濃度、色取り込み枠の大きさや形状等）の調整（ステップＳ４２９，Ｓ４３０）を行うことができる。更に、この状態で、シャッターボタン２０３の操作による画像の撮影（ステップＳ４３３、Ｓ４３４）を行うことが可能である。また、変換元色表示枠８０３と変換目標色表示枠８０４の間には矢印が表示されており、色の変換の方向をわかりやすくしている。なお、変換元色の適用範囲の調整を以下「適用範囲調整」と称する（詳細は後述）。また、変換目標色の濃度の調整を以下「変換目標色濃度調整」という。
【００５５】
本実施形態では十字ボタン２０９の横方向に並ぶボタンを変換元色と変換目標色の設定操作に利用する。より具体的には十字ボタン２０９の左ボタンを変換元色の設定に、右ボタンを変換目標色の設定に用いている。変換元色表示枠８０３と変換目標色表示枠８０４の表示位置関係も、この操作ボタンの割り当てに準じており、ユーザのより直感的な操作を可能としている。また、撮影時に撮像装置を右手に構えた状態でレリーズボタンを人差し指で押下する場合、親指等で操作可能な位置に十字ボタン２０９を配置することにより、ユーザは撮像の操作と同じ構えで色変換の操作も行うことが可能となる。
【００５６】
更に、本実施形態では、上記十字ボタン２０９の縦方向に並ぶボタンを「パラメータの設定」に関わる条件の調整に用いる。表示マーク８１１は縦方向ボタンに適用範囲調整が割り当てられている場合に表示される。また、表示マーク８１２は縦方向ボタンに変換目標色濃度調整が割り当てられている場合に表示される。本実施形態では、色変換モードにおいてはディスプレイボタン２０８が上下ボタンに割り当てられる調整機能の切り替えを指示するためのスイッチとして機能するものとする。ディスプレイボタン２０８を押すたびに、上下ボタンの機能が、適用範囲調整→目標色濃度調整→色取り込み枠サイズ変更→色取り込み枠形状変更→適用範囲調整→…というように、順次切り替わる（ステップＳ４２１、Ｓ４２２）。なお、取り込み枠サイズ変更とは色取り込み枠８０２のサイズを変更するものであり、取り込み枠形状変更とは色取り込み枠８０２の形状を変更するものである。
【００５７】
次に、本実施形態の撮像装置における変換元色および変換目標色の設定の仕方について説明する。ユーザは変換元色を指定するために、撮像装置１００の方向や光学ズームを調整し、色取り込み枠８０２一杯に所望の色が入るように画角を設定する。十字ボタン２０９の左ボタンが押されると、変換元色の取り込み指示が入力されたとしてステップＳ４２３からステップＳ４２４へ処理が進む。ステップＳ４２４では、その時点における色取り込み枠８０２内の画像の画素データが取得され、ステップＳ４２５ではその平均値が算出され変換元色（Src色）として決定される。変換元色が決定されると変換元色を表すパッチが変換元色表示枠８０３に表示される。
【００５８】
同様に、ユーザは、変換目標色を決定するために、図１３（ａ）に示すように、色値の情報を含むコード画像１３０１を含む印刷物１３００（例えば、カタログ、雑誌）を撮像装置１００のＥＶＦに表示させる。ユーザは、図１３（ｂ）のＥＶＦ表示例に示されるように、色取り込み枠８０２に所望のコード画像が入るようにして、十字ボタン２０９の右ボタンを押す。十字ボタン２０９の右ボタンが押されると変換目標色の取り込み指示が入力されたとしてステップＳ４２６からステップＳ４２７へ進む。ステップＳ４２７では、色取り込み枠８０２内のコード画像を抽出、解析し、当該コード画像に記述されている変換目標色を取得する。なお、変換目標色はｓＲＧＢやＬａｂ等の表色系の値で記述されており、コード画像にはどの表色系で色値が記述されているかを示す情報も含まれている。従って、撮像装置１００は、コード画像から得られた表色系及び色値から色値を特定することができ、ステップＳ４２８において、ステップＳ４２７で得られた色値を変換目標色（Dst色）に決定する。変換目標色が決定されると変換目標色を表すパッチが変換目標色表示枠８０４に表示される。
【００５９】
例えば、図１３（ａ）の印刷物１３００が洋服のカタログであり、掲載されたサンプル写真の近くに、その掲載された洋服の色値を示す情報が画像コード１３０１によって記述されているとする。ユーザは、この画像コードをＥＶＦの色取り込み枠内に入れて十字ボタン２０９の右ボタンを押すことで、カタログに掲載された色を正確にかつ容易に目標色に設定することができる。
【００６０】
なお、上記ステップＳ４２５においては色取り込み枠８０２内の画素値の平均が算出され、これを変換元色とするがこれに限られるものではない。例えば、その際に用いる画素データは電子ビューファインダーの表示用に間引かれた画像データ（画像表示メモリ１１３に格納されている画像データ）であってもよいし、メモリ１１４に格納されている画像データであってもよい。
【００６１】
ステップＳ４２５とステップＳ４２８にて変換元色及び変換目標色が決定されると、処理はステップＳ４２９からステップＳ４３０に進む。ステップＳ４３０では、変換元色から変換目標色に変換するための変換パラメータが作成される。本実施形態では、図９等により上述したように、３次元ルックアップテーブルの変換元色を内包する立方格子を形成する格子点の値が変更される。そして、ステップＳ４３１において、色変換処理部３１１の３次元ルックアップテーブルを更新することによりパラメータの設定が行われる。以降のＥＶＦのための画像表示（ステップＳ４０６，Ｓ４０７）や撮影実行時（ステップＳ４３４，Ｓ４３５）における画像処理部１１０の画像処理では、色変換処理部３１１において更新された３次元ルックアップテーブルが用いられることになる。なお、上述したように撮影実行時においては、シャッターボタン２０３の半押し状態で信号ＳＷ１が発生する。この信号ＳＷ１により、撮影のためのＡＦ（オートフォーカス）処理、ＡＥ（自動露出制御）処理、ＡＷＢ（オートホワイトバランス）処理、ＥＦ（フラッシュプリ発光）処理等が実行される。そして、全押し状態で信号ＳＷ２が発生して一連の撮影処理が実行される。
【００６２】
また、十字ボタン２０９の上下ボタンのいずれかが押されると、ステップＳ４３２からステップＳ４３３へ進み、その時点で上下ボタンに割り当てられている調整機能が実行される（調整機能の割り当てはステップＳ４２２で行なわれる）。例えば、上下ボタンに適用範囲調整が設定されている場合は、図８（ａ）に示すようにマーク８１１が変換元色表示枠８０３の近くに表示され、現在、上下ボタンにより適用範囲調整が可能であることが示される。この状態で上ボタンが押されると適用範囲が拡大され、下ボタンが押されると適用範囲が縮小される。適用範囲は−１、０、＋１等のレベルによって表される。適用範囲調整の一例について図１０を参照して説明する。なお、図１０では説明を簡単にするために２次元のルックアップテーブルで説明する。
【００６３】
変換元色として点１２０１の色値が指定され、変換目標色として点１２０１’の色値が指定されたとする。この場合、点１２０１を内包する格子の頂点１２０２〜１２０４はそれぞれ点１２０１と点１２０１’を結ぶベクトル１２０６により移動して、点１２０２’〜１２０４’の値が設定される。また、適用範囲として設定されたレベル値に応じて円１２１０の大きさが決定される。レベル値に応じた大きさを有する円１２１０は点１２０１を中心として配置される。この状態で、円１２１０内の、格子点１２０２〜１２０４を除く各格子点もベクトル１２０６と同じ方向に移動する。但し、その大きさ（移動量）は異なる。大きさは、例えば、円１２１０の中心で１、円周上で０となり、中心からの距離に応じて小さくなる係数をベクトル１２０６の大きさに乗じた値とする。例えば、円１２０１の半径をｒとし、円１２０１内のある格子点と格子点１２０１からの距離をｐとした場合、ｋ＝(ｒ−ｐ)／ｒをベクトル１２０６に乗じて、これを当該格子点の移動ベクトルとする。レベル値が大きくなると、円１２１０の半径ｒが大きくなり、変換元色の適用範囲が拡大されることになる。以上の処理を図９のような３次元ルックアップテーブルに適用するには、格子を立方格子に、円１２１０を球に置き換えればよい。
【００６４】
以上のように、適用範囲の拡大縮小が指示されると、ステップＳ４３０において円１２１０（球）の半径ｒが変更され、ステップＳ４３１でレベル値に応じて変化する格子点の数や変化量が変化することになる。但し、レベル値が最低値であっても、変換元色を含む立方格子を形成する全ての頂点は含むようにしなければならない。
【００６５】
例えば、図１１の（ａ）では、ビル８５０の壁の色を変換元色に指定したが、ビル８５０の全体が変換元色の範囲に入らなかった様子を示している。この状態で上下ボタンにより適用範囲のレベルを＋１すると、図１１の（ｂ）に示すように変換元色の範囲が拡大され、ビル８５０の壁全体を変換元色に含めるように調整することができる。また、これとは逆に適用範囲のレベルを下げれば変換元色の範囲が縮小される。例えば、変換ビル８５０の隣のビルの壁の色まで変換元色の範囲に含まれている場合に、変換元色の適用範囲のレベルを下げることにより、ビル８５０の壁の色の範囲内に変換元色の範囲を限定させるることが可能となる。
【００６６】
また、ステップＳ４２１，Ｓ４２２により目標濃度調整が選択されると、図８（ｂ）に示すようにマーク８１２を変換目標色表示枠８０４の近くに表示し、現在、上下ボタンにより変換目標色の濃度が調整可能であることを示す。変換目標色濃度もレベル値により設定され、変換目標色１１０３（図１０）の濃度を段階的に調整できる。この調整によりステップＳ４３１の変換パラメータ作成時における目標色の色値が変更される。なお、濃度の変更により目標色の色値が色空間を濃度の変化する方向に沿って移動することになる。また、色相を変える場合には色相環を回るように色値が移動することになる。より具体的な色値の変更方法としては、ＹＵＶで表された色値をＨＳＶ空間の値に変換して、色相（Ｈ）や濃度（ゲインまたは彩度）（Ｓ）を変更し、再度ＹＵＶに戻すことが挙げられる。
【００６７】
また、ディスプレイボタン２０８の操作により色取り込み枠サイズ変更が指定される（ステップＳ４２１，Ｓ４２２）と、上下ボタンの操作により色取り込み枠８０２のサイズが段階的に変化する。また、色取り込み枠形状変更が指定されると、上ボタンの操作により色取り込み枠８０２の形状が、例えば、正方形→縦長四角形→横長四角形→三角形→下向き三角→円というように変化する。下ボタンを操作すると逆順に変化させることができる。なお、例えば、ＳＥＴボタンと十字ボタンの組み合わせにより、色取り込み枠８０２を移動するような構成を付加しても良い。
【００６８】
また、ステップＳ４０７のＥＶＦ表示では、３次元ルックアップテーブルによる変換を行なった結果のデータと、３次元ルックアップテーブルによる変換を行なわない画像を交互に表示するようにする。このようにすることで、色変換の状態と、色変換前の状態を交互に観察でき、ユーザは色指定による変化の状態をリアルタイムに把握することができる。なお、このような表示は、色変換処理部３１１における３次元ルックアップテーブルを用いた色変換の実行、非実行を交互に繰り返すことで実現できる。
【００６９】
以上説明したように、上記実施形態によれば、撮像装置の限られたユーザインターフェースでも画像コードを利用して変換目標色を容易に設定することが可能となる。また、撮像装置の限られユーザインターフェースでも、変換元色を容易且つ明瞭に設定することが可能となる。このため、撮影時における所望の色変換を簡易な操作で実現できる。
【００７０】
なお、上下ボタンによる調整機能が単一の調整項目（例えば適用範囲調整のみ）であった場合には、ステップＳ４２１やＳ４２２による機能の切り替え処理は不要である。また、上記実施形態では十字ボタンの横方向のボタンを色取り込みの指示に、縦方向のボタンを調整の指示に用いたが、これに限られるものではない。例えば縦方向のボタンを色取り込みの指示に、横方向のボタンを調整の指示に用いてもよい。その場合、表示枠８０３，８０４の表示も縦方向に並べることにより、ユーザにわかりやすいインターフェースを提供できる。
【００７１】
なお、図４Ｂに示した処理手順では左右ボタンの操作に応じて直ちに色の取り込みが行なわれるがこれに限られるものではない。例えば、左右ボタンにより変換元色取り込み或いは変換目標色取り込みの待機状態とし、シャッターボタン２０３を押すことで実際に色の取り込みが行われるようにしてもよい。この場合、図４Ｂにおいて、左ボタンの操作により変換元色取り込みの待機状態へ移行し、シャッターボタン２０３が押されると上記ステップＳ４２４，Ｓ４２５が実行されるようにすればよい。また、右ボタンの操作により変換目標色取り込みの待機状態へ移行し、シャッターボタン２０３が押されると上記ステップＳ４２７，Ｓ４２８が実行されるようにすればよい。
【００７２】
このように、左右ボタンに応じて変換元色、変換目標色の何れの取り込みを行うか選択し、色を取り込む対象とする被写体に向けてシャッターボタンを押すことにより、通常の撮影と同様の操作で色取り込みを行うことが可能となり、ユーザの操作性が向上する。
【００７３】
更に、図４Ｂでは、上下ボタンによる調整機能は常時可能となっているが、左右ボタンにより色の取り込みを終えて、他のキーにより色を確定をした後に上下ボタンが有効になるようにしてもよい。例えば、左ボタンにより変換元色を取り込み、他のキー（例えばセットボタン２０６）により確定した値に、上下ボタンによる適用範囲の調整が可能となるようにしてもよい。
また、上下ボタンに割り当て可能な調整機能項目が適用範囲調整と変換目標色濃度調整のみであった場合には、ステップＳ４２１とＳ４２２による機能の切り替え処理は不要である。
【００７４】
以上説明したように、第１実施形態によれば、コード画像により変換目標色を指定することができる。このため、カタログ等の印刷物に掲載された色を、容易に変換目標色として設定することができ、便利である。
【００７５】
＜第２実施形態＞
第１実施形態では、ＥＶＦに表示された画像からコード画像を抽出し、これを解析して変換目標色を決定した。第２実施形態では、記録部１３９（１４２）に格納された撮影済みの画像からコード画像を抽出、解析して変換目標色を決定する。
【００７６】
例えば、図１４に示されるように、撮像装置１００に装着されている記録媒体１２２には、撮影済みの画像としてコード画像を含む画像が記録されている。
【００７７】
図１５は第２実施形態による変換目標色の決定処理を説明するフローチャートである。図１５のステップＳ１５０１〜Ｓ１５０６は図４ＢのステップＳ４２７，Ｓ４２８の処理に置き換わるものである。なお、変換目標色の設定を、ステップＳ４２７，Ｓ４２８（第１実施形態）によって行うか、ステップＳ１５０１〜Ｓ１５０６（第２実施形態）によって行うかを切替可能としてもよい。
【００７８】
まず、ステップＳ１５０１において、記憶媒体１２２に記録されている撮影済みの画像（コード画像を含む撮影画像）をＬＣＤ２０４に表示する。この状態で、十字ボタン２０９の左右ボタンを操作すると、処理はステップＳ１５０２からステップＳ１５０３へ進み、ＬＣＤ２０４に表示する撮影済み画像が切り替わる。より具体的には、十字ボタン２０９の左ボタンが押されると表示中の画像よりも１枚手前の撮影済み画像が取得され、十字ボタン２０９の右ボタンが押されると表示中の画像よりも１枚後の撮影済み画像が取得される。そして、ステップＳ１５０１にもどり、取得された画像がＬＣＤ２０４に表示される。
【００７９】
ＬＣＤ２０４に所望の画像を表示した状態で十字ボタン２０９の下ボタンが押されると処理はステップＳ１５０３からステップＳ１５０４へ進む。ステップＳ１５０４では、ＬＣＤ２０４に現在表示中の画像からコード画像が抽出され、解析される。なお、コード画像の位置は、コード画像を含む画像の撮影時にコード画像を記録すべき位置を案内するための枠８０２を図１３（ｂ）に示したようにＥＶＦに表示し、その枠の中にコード画像が納まるようにユーザに撮影を行わせるようにすればよい。なお、このとき枠８０２を図１３（ｃ）に示されるように複数表示し、それらのうちの一つにコード画像が入るように撮影をさせてもよい。この場合、ステップＳ１５０４におけるコード画像の抽出時には、それら複数箇所についてコード画像を検出する処理を行なうことになる。そして、ステップＳ１５０５では、ステップＳ１５０４で取得された色値に従って、変換目標色を設定する。
【００８０】
以上のような第２実施形態の構成によれば、予め所望の色に対応したコード画像が掲載された印刷物を撮影しておくことで、その場に当該印刷物が無くとも、所望の目標色を設定することができ、便利である。
【００８１】
＜第３実施形態＞
上記第１及び第２実施形態では、コード画像に含まれる情報は単一の色値であった。しかしながら、コード画像に含ませ得る情報量を考慮すると、複数の色値を登録しておくことができる。第３実施形態では、コード画像に複数の色値が登録されている場合に、変換目標色の設定時にそれらのうちの一つを選択可能とする。或いは、たとえ１つの色値しか登録されていなくても、色項目名を示す記述と色値を登録するようにして、変換目標色の設定時のその色項目名を表示するように構成すれば、ユーザはそのコード画像によって取得された色が何であるかを容易に知ることができる。
【００８２】
図１６は第３実施形態による変換目標色設定処理を説明するフローチャートである。なお、図１６のステップＳ１６０１〜Ｓ１６０５によって示される処理は、第１実施形態（図４Ｂ）のステップＳ４２７，Ｓ４２８、或いは第２実施形態（図１５）のステップＳ１５０４，Ｓ１５０４に代わるものである。
【００８３】
まず、ステップＳ１６０１においてＥＶＦ表示されている画像（第１実施形態の場合）或いはＬＣＤ２０４上に再生されている撮影済み画像（第２実施形態の場合）から、コード画像を抽出し解析する。第３実施形態で扱うコード画像は、例えば図１７に示されるように、複数の色値が登録されている。図１７では、コード画像１７０１に「髪の毛」、「肌」、「口紅」の３つの色項目名に対する色値が、色項目名とともに登録されている（１７０２）。例えば、「髪の毛」はそのページの画像中の人物の髪の毛の色を示す。このようなコード画像１７０１を解析すると３つの色項目名と対応する３つに色値が取得されることになる。
【００８４】
ステップＳ１６０１の解析の結果、コード画像に色項目名と色値のペアが登録されている場合は、ステップＳ１６０３に進む。ステップＳ１６０３では、ＬＣＤ２０４上に色項目名を表示する。図１８は色項目名の表示例を示す図である。ＥＶＦ表示に色項目名の表示１８０１〜１８０３を重畳表示させる。図１８では、各色項目名を十字キーの各方向に対応させて、ＬＣＤ２０４各辺に対して一つずつ表示し、十字ボタン２０９の左右上下ボタンにより所望の色項目名を指定させる。図１７の例では３組の色項目名と色値が登録されているので、図１８に示されるようにＬＣＤ２０４の３箇所に色項目名が表示される。十字ボタン２０９による項目選択指示が入力されると、ステップＳ１６０４からステップＳ１６０５に進み、選択された色項目名に対応する色値が変換目標色に設定される。一方、色項目名の登録が無く、色値のみの場合はステップ１６０２からステップＳ１６０６に進に、取得された色値が変換目標色に決定される。
【００８５】
なお、ステップＳ１６０３において、色項目名は、ＬＣＤ２０４の各辺に一つずつ表示し、十字ボタン２０９により選択するようにした。この場合、選択を色項目の選択を迅速に行うことができるが、一つのコード画像によって指定可能な色は最大で４色となってしまう。従って、色項目名の選択方法はこれに限られるものではなく、例えば、所定のボタン操作により、色項目名が順次切替表示されるようにしてもよい。この場合、所望の色項目名が表示された時点で所定の決定操作（例えば、ＳＥＴボタン２０６を押す）を行うことで変換目標色とする色値が決定される。また、ＬＣＤ２０４の各辺近傍に表示する方式で、４項目を単位として表示を切り替えるようにしてもよい。例えば、項目名がＡ〜Ｇの場合、最初にＡ〜Ｄを表示し、その後、所定の操作により残りのＥ〜Ｇを表示するというように制御することが考えられる。
【００８６】
以上説明したように第３実施形態によれば、１つのコード画像で複数の色を登録でき、また、ユーザはそのようなコード画像から所望の色を容易に選択できる。
【００８７】
＜第４実施形態＞
第１〜第３実施形態では、変換元色の指定をＥＶＦに表示された画像を用いて行い、その後撮影された画像において色変換処理を実行した。第４実施形態では、撮影済みの画像を用いて変換元色の指定を行い、当該撮影済みの画像に対して変換元色と変換目標色に基づいた色変換処理を行なう。
【００８８】
図１９は第４実施形態の処理を説明するフローチャートである。まず、ステップＳ１９００において、記録媒体１２２に記録された撮影済み画像をＬＣＤ２０４に表示させる。ＬＣＤ２０４に表示する画像は、例えば十字ボタン２０９の左右ボタンにより順次に切り替えて表示される。所望の画像が表示されたらＳＥＴボタン２０６を操作することにより、当該表示中の画像を指定画像とする。指定画像が決定されると、ステップＳ１９０１において、ＬＣＤ２０４に当該指定画像の表示に色取り込み枠８０２を重畳表示させる。図２０はＬＣＤ２０４における指定画像の表示と色取り込み枠８０２の表示例を示している。
【００８９】
次に、ステップＳ１９０２、Ｓ１９０３では、十字ボタン２０９の操作により、図２０に例示されるように色取り込み枠８０２を所望の位置に移動し、色取り込み枠８０２内いっぱいに変換元色となる色が入るようにする。そして、ＳＥＴボタン２０６が押されると、ステップＳ１９０４からステップＳ１９０５へ処理が進む。ステップＳ１９０５では、その時点における色取り込み枠８０２内の画像の画素データが取得され、ステップＳ１９０６ではその平均値が算出され変換元色（Src色）として定される。
【００９０】
以上のようにして変換元色が設定されると、ステップＳ１９０７においてＥＶＦ表示が開始されるとともに、表示画面中に色取り込み枠が表示される。なお、ステップＳ１９０７によるＥＶＦ表示及び色取り込み枠表示は、例えば、図４ＡのステップＳ４０１からステップＳ４０８の処理を実行することで実現される。
【００９１】
この状態で、ユーザは、変換目標色を決定するために、第１実施形態と同様に、図１３（ａ）に示すような、色値の情報を含むコード画像１３０１を含む印刷物１３００を撮像装置１００のＥＶＦに表示させる。ユーザは、図１３（ｂ）のＥＶＦ表示例に示されるように、色取り込み枠８０２に所望のコード画像が入るようにして、十字ボタン２０９の右ボタンを押す。十字ボタン２０９の右ボタンが押されると変換目標色の取り込み指示が入力されたとしてステップＳ１９０８からステップＳ１９０９へ進み、色取り込み枠８０２内のコード画像を抽出、解析し、当該コード画像に記述されている変換目標色を取得する。そして、ステップＳ１９１０において、ステップＳ１９０９で得られた色値を変換目標色（Dst色）に決定する。
【００９２】
変換目標色が決定されると、ステップＳ１９１１において、変換元色から変換目標色に変換するための変換パラメータが作成される。変換パラメータの作成はステップＳ４３０に関して上述したとおりである。そして、ステップＳ１９１２において、色変換処理部３１１の３次元ルックアップテーブルを更新する。その後、ステップＳ１９１３において、ステップＳ１９００で指定した画像を再びＬＣＤ２０４に表示し、ステップＳ１９１４にて、上記表示画像の色値を上記３次元ルックアップテーブルにより変換する。その結果、ＬＣＤ２０４には、上記指定された画像の色変換処理された画像が表示されることになる。
【００９３】
以上の構成によれば、コード画像の取り込みにより次々と指定画像の指定色を変更していくことができる。
【００９４】
＜他の実施形態＞
なお、上記実施形態では例えば、図１２（ａ）のような複数方向にボタンスイッチを有するボタン群として十字ボタンを利用したが、他の操作ボタンを用いてもよいし、専用のボタンを設けてもよい。図１２（ｂ）に示すように４方向が一体の部材で構成されたボタンでも良いし、図１２（ｃ）１方向を１つのボタンで構成し、複数方向を複数集まったボタン郡として構成しているものでも良い。また、図１２（ｄ）のように上下左右の４方向に限らず、４方向以上あるスイッチのうちのいずれかを使用しても良い。
【００９５】
また、本実施形態にける色変換処理部３１１の演算処理に３次元ルックアップテーブル処理と補間演算処理を用いているが、これに限られるものではない。変換元色が変換目標色に変換可能な処理、例えば色空間ごとにマトリクス演算の係数を変化させるマトリクス演算処理を用いて行うことも可能である。マトリクス演算処理を用いた処理としては、例えば以下のようにすればよい。上記実施形態において、図９の各格子点上に変換後のＹＵＶ信号の値が設定されているがこれに限られるものではない。例えば、マトリクス演算処理を用いた処理においては各格子点上に下に示す式（１６）のＭ１１〜Ｍ３３の係数を格納しておく。そして、Yin、Uin、Vinに応じて、Ｍ１１〜Ｍ３３の係数が決定され、さらに式（１６）の演算が行われYout、Uout、Voutが求められるようにしてもよい。ただし、Ｍ１１〜Ｍ３３の決定はYin、Uin、Vinに一番近い格子点に格納されている係数、または、上記実施形態のように、各格子点からの補間演算により求められるようにしてもよい。
【００９６】
【数５】
0004662356.tif 000006
【００９７】
また、上記のコード画像としては、１次元或いは２次元のバーコードやＱＲコードを用いてもよい。ＱＲコードのように位置検出用のマークが存在するコード画像であれば、色取り込み枠内にコード画像を入れるような操作を省略できる。
【００９８】
また、図１３のようにカタログや雑誌に掲載されている色値の情報を含むコード画像１３０１が、ユーザが使用している撮像装置に対応しているものかどうかを示す機種情報を含んでいてもよい。これにより、システム制御１０９においてコード画像を読み取り、解析する際に、そのコード画像が撮像装置において使用可能かどうか認証することが可能になる。
【００９９】
（本発明に係る他の実施の形態）
上述した本発明の実施の形態における撮像装置を構成する各手段、並びに撮像方法の各ステップは、コンピュータのＲＡＭやＲＯＭなどに記憶されたプログラムが動作することによって実現できる。このプログラム及び上記プログラムを記録したコンピュータ読み取り可能な記憶媒体は本発明に含まれる。
【図面の簡単な説明】
【０１００】
【図１】実施形態による撮像装置の構成を示すブロック図である。
【図２】実施形態による撮像装置の外観を示す図である。
【図３】実施形態による画像処理を説明する図である。
【図４Ａ】実施形態による色変換モード動作時の処理を説明するフローチャートである。
【図４Ｂ】実施形態による色変換モード動作時の処理を説明するフローチャートである。
【図５】実施形態の撮像装置におけるＣＣＤの色配列を説明する概念図である。
【図６】実施形態の撮像装置におけるＣＣＤ信号の補間後のデータを説明する概念図である。
【図７】実施形態の輝度信号作成処理に用いられるフィルタを説明する図である。
【図８】実施形態による変換元色／変換目標色取り込みモード時のＥＶＦ画面例を示す図である。
【図９】３次元ルックアップテーブルによる色変換処理を説明する図である。
【図１０】変換元色の適用範囲を説明する図である。
【図１１】変換元色の適用範囲の調整例を示す図である。
【図１２】ボタンスイッチの変形例を示す図である。
【図１３】第１実施形態による変換目標色の設定を説明する図である。
【図１４】第２実施形態による変換目標色の設定を説明する図である。
【図１５】第２実施形態による変換目標色の設定処理を説明するフローチャートである。
【図１６】第３実施形態による変換目標色の設定処理を説明するフローチャートである。
【図１７】第３実施形態によるコード画像の色情報を説明する図である。
【図１８】第３実施形態による色項目名の表示状態例を示す図である。
【図１９】第４実施形態による色変換処理を説明するフローチャートである。
【図２０】第４実施形態による変換元色の設定を説明する図である。
【図１】
0004662356.tif 000007
【図２】
0004662356.tif 000008
【図３】
0004662356.tif 000009
【図４Ａ】
0004662356.tif 000010
【図４Ｂ】
0004662356.tif 000011
【図５】
0004662356.tif 000012
【図６】
0004662356.tif 000013
【図７】
0004662356.tif 000014
【図８】
0004662356.tif 000015
【図９】
0004662356.tif 000016
【図１０】
0004662356.tif 000017
【図１１】
0004662356.tif 000018
【図１２】
0004662356.tif 000019
【図１３】
0004662356.tif 000020
【図１４】
0004662356.tif 000021
【図１５】
0004662356.tif 000022
【図１６】
0004662356.tif 000023
【図１７】
0004662356.tif 000024
【図１８】
0004662356.tif 000025
【図１９】
0004662356.tif 000026
【図２０】
0004662356.tif 000027